(57)【要約】【課題】記録再生装置におけるチャプタの自動付与とともに編集上の操作性を向上させる。【解決手段】入力されるデジタル音声信号の変調方式を音声変調方式判定部１００で判定し、前回の音声変調方式と今回の音声変調方式が異なる場合に、録画が再開されたときの録画情報の切れ目を、チャプタ管理情報の境界としてレジスタ１０１に登録する。これにより、適当な間隔を持ってチャプタが自動付与されることから編集上の操作性向上を図ることができる。【選択図】      図１
2004236077.tif 000002
【特許請求の範囲】
【請求項１】
プログラムを含むビデオ情報が記録されるビデオ情報記録領域と、前記ビデオ情報を記録・再生するための管理情報が記録されるビデオ管理情報記録領域と、前記プログラムの各チャプタを管理するためのチャプタ管理情報の記録領域とを少なくとも有した記録再生用媒体と、この記録再生用媒体に、情報を記録再生するための記録処理・再生処理手段と、この記録・再生処理手段からの再生信号をディスプレイに供給するための表示信号導出手段と、前記記録処理・再生処理手段及び表示信号導出手段を制御するシステム制御手段と、
入力される音声変調方式を判定し、前回の音声変調方式と異なる方式の場合に、録画が再開されたとの録画情報の切れ目をチャプタの境界として、前記チャプタ管理情報に登録する手段とを具備したことを特徴とする自動チャプタ作成機能付き記録再生装置。
【請求項２】
前記音声変調方式の前回と今回の違いは、前回のデータと今回のデータを比較することにより音声変調方式の違いを判別することを特徴とする請求項１記載の自動チャプタ作成機能付き記録再生装置。
【発明の詳細な説明】
【０００１】
【発明の属する技術分野】
この発明は、順次記録の場合の特定場所への素早い移動あるいは頭出しを可能とする自動チャプタ作成機能付き記録再生装置に関する。
【０００２】
【従来の技術】
従来の自動チャプタ作成機能付きの記録再生装置は、録画中に一時停止させ、その後に録画が再スタートされた位置をチャプタの境界とするようにして、自動的にチャプタを作成している。（例えば、特許文献１）
【０００３】
【特許文献１】
特開２００２−１５２６３６公報（第７〜８頁、図７〜図９）
【０００４】
【発明が解決しようとする課題】
上記した特許文献１の技術は、操作者の停止、録画が再スタートによってチャプタを作成するため、停止操作をしないとチャプタの境界の作成がされず、この間にコマーシャル等の記録したくない情報が記録されてしまう、という問題があった。
【０００５】
この発明の目的は、音声の変調方式の切り換えを利用して自動的にチャプタを付与する自動チャプタ作成機能付きの記録再生装置を提供することにある。
【０００６】
【課題を解決するための手段】
上記した課題を解決するために、この発明の自動チャプタ作成機能付きの記録再生装置は、プログラムを含むビデオ情報が記録されるビデオ情報記録領域と、前記ビデオ情報を記録・再生するための管理情報が記録されるビデオ管理情報記録領域と、前記プログラムの各チャプタを管理するためのチャプタ管理情報の記録領域とを少なくとも有した記録再生用媒体と、この記録再生用媒体に、情報を記録再生するための記録処理・再生処理手段と、この記録・再生処理手段からの再生信号をディスプレイに供給するための表示信号導出手段と、前記記録処理・再生処理手段及び表示信号導出手段を制御するシステム制御手段と、入力される音声変調方式を判定し、前回の音声変調方式と異なる方式の場合に、録画が再開されたとの録画情報の切れ目をチャプタの境界として、前記チャプタ管理情報に登録する手段とを具備したことを特徴とする。
【０００７】
この手段により、入力される音声信号の変調方式を音声変調方式判定部で判定し、前回の音声変調方式と異なる場合に、録画が再開されたときの録画情報の切れ目を、チャプタ管理情報の境界としてレジスタに登録することにより、チャプタの自動付与とともに編集上の操作性向上を図ることができる。
【０００８】
【発明の実施の形態】
以下、この発明の実施の形態について、図面を参照しながら詳細に説明する。
図１は、この実施の形態で説明する記録再生装置を示している。この実施の形態は、記録媒体として、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）およびハードディスクの両方を取り扱うことができる記録再生装置として示しているが、いずれか一方のみの記録媒体を取り扱う装置に対しても、この発明は適用可能である。
【０００９】
図１の各ブロックを大きく分けると、左側には記録部の主なブロックを示し、右側には再生部の主なブロックを示している。
図１に示す記録再生装置における再生処理は、プログラムの再生順序を示すプログラムチェーン情報（ＰＧＣＩ）に従って行われ、このＰＧＣＩでは、複数のプログラム（ＰＧ）を指定することができ、このＰＧＣＩにはセルインフォメーション（ＣＩ）が定義されている。そしてＣＩによりセルエントリィポイント（Ｃ＿ＥＰＩ）が指定され、再生すべき対象となるＶＯＢが特定されることになる。また、記録順に再生するための特別なＰＧＣをオリジナルＰＧＣと称し、このオリジナルＰＧＣの情報は、ＯＲＧ＿ＰＧＣＩとして記録されている。さらに、このときのビデオデータの属性情報（解像度情報、アスペクト情報、音声属性情報など）は、ＶＭＧＩ内のストリームインフォメーション（ＳＴＩ）に記録される。また、パックは、データ転送処理を行う最小単位である。さらに、論理上の処理を行う最小単位はセルで、論理上の処理はこの単位で行われる。従って、録画が行われるときは、上記のフォーマットに合致する形式に記録信号が変換される。
【００１０】
記録再生装置は、ハードディスク装置２００１と、ビデオファイルを構築できる情報記憶媒体である光ディスク１００１を回転駆動し、この光ディスク１００１に対して情報の読み書きを実行するディスクドライブ３５と、録画側を構成するエンコーダ部５０と、再生側を構成するデコーダ部６０と、装置本体の動作を制御するマイクロコンピュータブロック３０とを、主たる構成要素としている。
【００１１】
エンコーダ部５０は、ＡＤＣ（アナログデジタルコンバータ）５２と、Ｖ（ビデオ）エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００１２】
ＡＤＣ５２には、ＡＶ入力部４２からの外部アナログビデオ信号＋外部アナログオーディオ信号、あるいはＴＶ（テレビジョン）チューナ４４からのアナログビデオ信号＋アナログ音声信号が入力される。
【００１３】
ＡＤＣ５２は、入力されたアナログビデオ信号を、例えばサンプリング周波数１３．５ＭＨｚ、量子化ビット数８ビットでデジタル化する。すなわち、輝度成分Ｙ、色差成分Ｃｒ（またはＹ−Ｒ）および色差成分Ｃｂ（またはＹ−Ｂ）が、それぞれ８ビットで量子化されることになる。
【００１４】
同様に、ＡＤＣ５２は、入力されたアナログオーディオ信号を、例えばサンプリング周波数４８ｋＨｚ、量子化ビット数１６ビットでデジタル化する。
なお、ＡＤＣ５２にデジタルビデオ信号やデジタルオーディオ信号が入力されるときは、ＡＤＣ５２は、デジタルビデオ信号やデジタルオーディオ信号をスルーパスさせる。そして、これらのデジタルビデオ信号およびデジタルオーディオ信号に対しても、内容は改変することなく、ジッタ低減処理やサンプリングレート変更処理等は行ってもよい。
【００１５】
ＡＤＣ５２から出力されたデジタルビデオ信号は、Ｖエンコーダを介してフォーマッタ５６に送られる。また、ＡＤＣ５２から出力されたデジタルオーディオ信号は、Ａエンコーダを介してフォーマッタ５６に送られる。
【００１６】
Ｖエンコーダは、入力されたデジタルビデオ信号を、ＭＰＥＧ２またはＭＰＥＧ１規格に基づいて、可変ビットレートで圧縮されたデジタル信号に変換する機能を持つ。また、Ａエンコーダは、入力されたデジタルオーディオ信号を、ＭＰＥＧまたはＡＣ−３規格に基づいて、固定ビットレートで圧縮されたデジタル信号またはリニアＰＣＭのデジタル信号に変換する機能を持つ。
【００１７】
副映像情報がＡＶ入力部４２から入力される、例えば副映像信号の独立出力端子付ＤＶＤビデオプレーヤからの信号の場合、あるいはこのようなデータ構成のＤＶＤビデオ信号が放送され、それがＴＶチューナ４４で受信された場合は、ＤＶＤビデオ信号中の副映像信号（副映像パック）が、ＳＰエンコーダに入力される。ＳＰエンコーダに入力された副映像信号は、所定の信号形態にアレンジされて、フォーマッタ５６に送られる。
【００１８】
フォーマッタ５６は、バッファメモリ５７をワークエリアとして使用しながら、入力されたビデオ信号、オーディオ信号、副映像信号等に対して所定の信号処理を行うことにより、所定のＤＶＤフォーマット（ファイル構造）に合致した記録データをデータプロセッサ３６に出力する。
【００１９】
ここで、この記録再生装置は、エンコーダ部５０でエンコードされた情報および作成された管理情報を、データプロセッサ３６を介してハードディスク装置２００１に供給し、ハードディスクに記録することができる。またハードディスクに記録された情報を、データプロセッサ３６、ディスクドライブ３５を介して光ディスク１００１に記録することもできる。さらにまた、エンコーダ部５０でエンコードされた情報および作成された管理情報を、データプロセッサ３６、ディスクドライブ３５を介して、光ディスク１００１に記録することもできる。
【００２０】
また、この記録再生装置は、ハードディスク装置２００１のハードディスクに記録されている情報が、光ディスク１００１のデータフォーマットと同じである場合、ハードディスクの情報を光ディスク１００１にエンコード処理すること無く記録することができる。
【００２１】
ハードディスク装置２００１のハードディスクに記録されている情報が、光ディスク１００１のデータフォーマットと異なる場合は、ハードディスクから読み出した情報をエンコーダ部５０でエンコードする。そしてエンコードされた情報を光ディスク１００１に記録することができる。
【００２２】
ここで、上記光ディスク１００１への記録データを作成するための標準的なエンコード処理内容を簡単に説明しておく。すなわち、エンコーダ部５０において、エンコード処理が開始されると、ビデオ（主映像）データおよびオーディオデータをエンコード処理するにあたって必要なパラメータが設定される。
【００２３】
次に、設定されたパラメータを利用して主映像データがプリエンコード処理されることにより、設定された平均転送レート（記録レート）に最適な符号量の分配が計算される。プリエンコード処理で得られた符号量分配に基づき、主映像データのエンコード処理が実行される。このとき、オーディオデータのエンコード処理も同時に実行される。同様に、副映像データをエンコード処理するに必要なパラメータが設定され、エンコード処理された副映像データが作成される。
【００２４】
エンコード処理された主映像データ、オーディオデータおよび副映像データが組み合わされて、ビデオオブジェクトセットＶＯＢＳの構造に変換される。
すなわち、主映像データ（ビデオデータ）の最小単位としてセルが設定され、セル情報が作成される。次に、プログラムチェーンＰＧＣを構成するセルの構成や、主映像、副映像およびオーディオの属性等が設定され（これらの属性情報の一部は、各データをエンコードするときに得られた情報が利用される）、ここに、種々の情報を含めたＶＭＧファイルが作成される。
【００２５】
エンコード処理された主映像データ、オーディオデータおよび副映像データは、一定サイズ（２０４８バイト）のパックに細分化される。なお、パック内には、適宜、再生時刻を示すＰＴＳ（プレゼンテーションタイムスタンプ）やデコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
【００２６】
そして、各データのタイムコード順に再生可能なように、ビデオオブジェクトユニットＶＯＢＵ単位でその先頭に、ナビゲーションパックに相当するＲＤＩパックを配置しながら各セルが配置される。これにより、複数のセルで構成されるビデオオブジェクトＶＯＢが構成される。このビデオオブジェクトＶＯＢを１つ以上集めてなるビデオオブジェクトセットＶＯＢＳが、ムービービデオファイルにプログラムとして記録される。
【００２７】
なお、ＤＶＤビデオプレーヤからＤＶＤ再生信号をデジタルコピーする場合には、上記セル、プログラムチェーン、管理テーブル、タイムスタンプ等の内容は始めから決まっているので、これらを改めて作成する必要はない。
【００２８】
光ディスク１００１に対して、情報の読み書き（録画および／または再生）を実行する部分としては、光学系、駆動系を有するディスクドライブ３５と、データプロセッサ３６と、一時記憶部３７と、ＳＴＣ（Ｓｙｓｔｅｍ  Ｔｉｍｅ  Ｃｌｏｃｋ）３８とを備えている。
【００２９】
一時記憶部３７は、データプロセッサ３６、ディスクドライブ３５介して光ディスク１００１に書き込まれる、エンコーダ部５０から出力されるデータのうちの一定量分をバッファリングして、ディスクドライブ３５、データプロセッサ３６を介して光ディスク１００１から再生された、デコーダ部６０に入力されるデータのうちの一定量分をバッファリングするのに利用される。ディスクドライブ３５は、光ディスクに対する回転制御系、レーザ駆動系、光学系などを有する。
【００３０】
例えば、一時記憶部３７が４ＭＢ（Ｍｅｇａ  Ｂｙｔｅｓ）の半導体メモリ（ＤＲＡＭ）で構成されるときは、平均４Ｍｂｐｓ（ｂｉｔ  ｐｅｒ  ｓｅｃｏｎｄ）の記録レートでおよそ８秒分の記録または再生データのバッファリングが可能である。また、一時記憶部３７が１６ＭＢのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）で構成されるときは、平均４Ｍｂｐｓの記録レートでおよそ３０秒の記録または再生データのバッファリングが可能である。
【００３１】
さらに、一時記憶部３７が１００ＭＢの超小型ＨＤＤ（ハード・ディスク・ドライブ）で構成されるときは、平均４Ｍｂｐｓの記録レートで３分以上の記録または再生データのバッファリングが可能となる。
【００３２】
一時記憶部３７は、録画途中で光ディスク１００１を使い切ってしまった場合において、光ディスク１００１が新しいディスクに交換されるまでの短時間の録画情報を一時記憶しておくことにも利用できる。
【００３３】
しかし、この記録再生装置では、大きな容量を持つハードディスク装置２００１が設けられているので、この装置を活用することができる。
また、一時記憶部３７は、ディスクドライブ３５として高速ドライブ（２倍速以上）を採用した場合において、一定時間内に通常ドライブより余分に読み出されたデータを一時記憶しておくことにも利用できる。再生時の読み取りデータを一時記憶部３７にバッファリングしておけば、振動ショック等で図示しない光ヘッドが読み取りエラーを起こしたときでも、一時記憶部３７にバッファリングされた再生データを切り替え使用することによって、再生映像が途切れないようにすることができる。
【００３４】
データプロセッサ３６は、マイクロコンピュータブロック３０の制御に従って、エンコーダ部５０から出力されたＤＶＤ記録データをディスクドライブ３５に供給したり、光ディスク１００１から再生したＤＶＤ再生信号をディスクドライブ３５から取り込んだり、光ディスク１００１に記録された管理情報を書き替えたり、光ディスク１００１に記録されたファイルあるいはビデオオブジェクトの削除をしたりする。
【００３５】
マイクロコンピュータブロック３０は、ＭＰＵ（マイクロプロセシングユニット）またはＣＰＵ（セントラルプロセシングユニット）と、制御プログラム等が書き込まれたＲＯＭと、プログラム実行に必要なワークエリアを提供するためのＲＡＭとを含んでいる。
【００３６】
マイクロコンピュータブロック３０のＭＰＵは、キー入力部４７からの操作情報を受け、ＲＯＭに格納された制御プログラムに基づいて、ＲＡＭをワークエリアとして用いて、欠陥場所検出、未記録領域検出、録画情報記録位置設定、ＵＤＦ記録、ＡＶアドレス設定等を実行する。
【００３７】
また、マイクロコンピュータブロック３０は、システム全体を制御するために必要な情報処理部を有するもので、コピー情報検知・設定部、ディレクトリ検知部、ＶＭＧ管理情報作成部を備える。
【００３８】
ＭＰＵの実行結果のうち、ディスクドライブ３５のユーザに通知すべき内容は、ＤＶＤビデオレコーダの表示部４８に表示されるか、または図示しないモニタディスプレイにＯＳＤ（オンスクリーンディスプレイ）表示される。
【００３９】
なお、マイクロコンピュータブロック３０が、ディスクドライブ３５、データプロセッサ３６、エンコーダ部５０および／またはデコーダ部６０等を制御するタイミングは、ＳＴＣ３８からの時間データに基づいて、実行することができる。録画や再生の動作は、通常はＳＴＣ３８からのタイムクロックに同期して実行されるが、それ以外の処理は、ＳＴＣ３８とは独立したタイミングで実行されてもよい。
【００４０】
デコーダ部６０は、パック構造を持つ映像情報から各パックを分離して取り出すセパレータ６２と、パック分離やその他の信号処理実行時に使用するメモリ６３と、セパレータ６２で分離された主映像データ（ビデオパックの内容）をデコードするＶデコーダと、セパレータ６２で分離された副映像データ（副映像パックの内容）をデコードするＳＰデコーダと、セパレータ６２で分離されたオーディオデータ（オーディオパックの内容）をデコードするＡデコーダによるデコーダ群６４と、Ｖデコーダから得られる主映像データにＳＰデコーダから得られる副映像データを適宜合成し、主映像にメニュー、ハイライトボタン、字幕やその他の副映像を重ねて出力するビデオプロセッサ６６を備えている。
【００４１】
ビデオプロセッサ６６の出力は、ビデオミクサー７１に入力される。ビデオミクサー７１では、テキストデータの合成が行われる。またビデオミクサー７１には、また、ＴＶチューナ４４やＡ／Ｖ入力部４２からの信号を直接取り込むラインも接続されている。ビデオミクサー７１には、バッファとして用いるフレームメモリ７２が接続されている。ビデオミクサー７１の出力がデジタル出力の場合は、インターフェース（Ｉ／Ｆ）７３を介して外部へ出力され、アナログ出力の場合は、ＤＡＣ７４を介して外部へ出力される。
【００４２】
Ａデコーダの出力がデジタル出力の場合は、インターフェース（Ｉ／Ｆ）７５を介して外部へ出力され、アナログ出力の場合は、セレクタ７６を介してＤＡＶ７７でアナログ変換され外部に出力される。セレクタ７６は、マイクロコンピュータブロック３０からのセレクト信号により、ＴＶチューナ４４やＡ／Ｖ入力部４２からの信号を直接モニタするとき、ＡＤＣ５２からの出力を選択することも可能である。アナログオーディオ信号は、図示しない２チャンネル〜６チャンネルのマルチチャンネルステレオ装置の外部コンポーネントに供給される。
【００４３】
１００は、音声変調方式判定部であり、この音声変調方式判定部１００は、ＡＤＣ５２から出力あるいはＡＤＣ５２をスルーしたデジタル音声信号を入力して、ここでどの音声変調方式であるかを判定する。音声変調方式判定部１００は、レジスタ１０１を備えており、このレジスタ１０１に前回の音声変調方式がどの方式であったかを記憶しておく。
【００４４】
上記装置において、ビデオ信号の流れを簡単に説明すると、以下のようになる。まず、入力されたＡＶ信号はＡＤＣ５２でデジタル変換される。ビデオ信号はＶエンコーダへ、オーディオ信号はＡエンコーダへ、文字放送などの文字データはＳＰエンコーダへ入力される。ビデオ信号はＭＰＥＧ圧縮され、オーディオ信号はＡＣ３圧縮またはＭＰＥＧオーディオ圧縮がなされ、文字データはランレングス圧縮される。
【００４５】
各エンコーダからの圧縮データは、パック化された場合に２０４８バイトになるようにパケット化されて、フォーマッタ５６へ入力される。フォーマッタ５６では、各パケットがパック化され、さらに、多重化され、データプロセッサ３６へ送られる。
【００４６】
ここで、フォーマッタ５６は、アスペクト情報検出部４３からの情報を元に、ＲＤＩパックを作成し、ビデオオブジェクトユニット（ＶＯＢＵ）の先頭に配置する。データプロセッサ３６は、１６パック毎にＥＣＣブロッを形成し、エラー訂正データを付け、その出力をディスクドライブ３５を介して光ディスク１００１へ記録する。ここで、ディスクドライブ３５がシーク中やトラックジャンプなどの場合のため、ビジィー状態の場合には、一時記憶部３７（例えばＨＤＤバッファ部）へ入れられ、ＤＶＤ−ＲＡＭドライブ部（ディスクドライブ３５）の準備ができるまで待つこととなる。
【００４７】
さらに、フォーマッタ５６では、録画中、各切り分け情報を作成し、定期的にマイクロコンピュータブロック３０のＭＰＵへ送る（ＧＯＰ先頭割り込み時などの情報）。
【００４８】
切り分け情報としては、ＶＯＢＵのパック数、ＶＯＢＵ先頭からのＩピクチャのエンドアドレス、ＶＯＢＵの再生時間などである。
同時に、アスペクト情報を録画開始時にＭＰＵへ送り、ＭＰＵはＶＯＢストリーム情報（ＳＴＩ）を作成する。ここで、ＳＴＩは、解像度データ、アスペクトデータなどを保存し、再生時、各デコーダ部はこの情報を元に初期設定を行われる。
【００４９】
また、録再ＤＶＤでは、ビデオファイルは１ディスクに１ファイルとしている。
ここで、ＤＶＤを利用したリアルタイム録再機において、注意すべき点は、データをアクセスする場合において、そのアクセス（シーク）している間に、とぎれないで再生を続けるために、最低限連続するセクタが必要になってくる。この単位をＣＤＡ（コンティギュアス・データ・エリア）という。つまりシームレス再生を実現するために予め取り決められているデータサイズである。
【００５０】
このＣＤＡは、ＥＣＣブロック単位となっている方が有利である。そのため、ＣＤＡサイズは１６セクタの倍数にし、ファイルシステムでは、このＣＤＡ単位で記録を行っている。ただし、この場合、ディスク内にうまくＣＤＡの大きさの空き領域がない場合などは、別のファイルが使用している短いセクタが、ＣＤＡ内に入り込むことも許している。これにより、ＣＤＡ単位で記録することができる。
【００５１】
図２には、ビデオマネージャー（ＶＭＧ）の階層構造を示し、その中でデータ再生順序を管理する系統について詳しく示している。
ビデオファイルに記録されたデータ再生順序は、図２に示すような、プログラムチェーン（ＰＧＣ）で定義されている。このプログラムチェーン（ＰＧＣ）には、セル（Ｃｅｌｌ）が定義され、さらにセル（Ｃｅｌｌ）には、再生すべき対象となるＶＯＢが定義されている。このＰＧＣの具体的情報を記録してある部分がＶＭＧファイルの中のプログラムチェーン情報（ＰＧＣＩ）部分である。ＰＧＣＩには、２種類が存在し、１つはオリジナルＰＧＣＩ（ＯＲＧ＿ＰＧＣＩ）、もう１つはユーザディファインドＰＧＣテーブル（ＵＤ＿ＰＧＣＩＴ）である。
【００５２】
図３には、上記プログラムチェーン情報（ＰＧＣＩ）内のプログラムチェーン情報テーブル（ＰＧＩＴ）の内容をさらに詳しく示している。プログラムチェーン情報としては、このプログラムチェーンに対応するプログラムが消去可能か否かを示すプログラムタイプ（ＰＧ＿ＴＹ）、このプログラム内のセル数、このプログラムで記述されるプライマリーテキスト情報（ＰＲＭ＿ＴＸＴＩ）、テキスト情報へのポインタ番号（ＩＴ＿ＴＸＴ＿ＳＲＰＮ）、代表画像情報（ＲＥＰ＿ＰＩＣＴＩ＝セル番号およびそのセル内でのポインタ）が記述される。
【００５３】
図４には、またビデオマネージャー（ＶＭＧ）内のムービーＡＶファイル情報テーブル（Ｍ＿ＡＶＦＩＴ）を階層的に示している。このテーブルの情報は、記録されているＶＯＢ（プログラム）の数、各ＶＯＢに対応するオーディオや副映像のストリームの番号、各ＶＯＢの属性（テレビジョン方式、アスペクト比等）がストリーム情報（Ｍ＿ＶＯＢ＿ＳＴＩ）として記録されている。さらにＭ＿ＡＶＦＩとしては、一般情報として、ＶＯＢが再生可能なものか、仮消去されたものかを示す情報、ＶＯＢを記録した日時情報（レコーディングタイム）が記述されている。さらに個々の情報として、各ＶＯＢのサーチポインタ、複数のＶＯＢを連続再生する情報（ＳＭＬＩ）としてのシステムクロック情報が記述されている。さらにまた、ＶＯＢ内のＶＯＢＵのタイムマップ情報（ＴＭＡＰＩ）が記述されている。タイムマップ情報は、特殊再生等を行うときに利用可能である。
【００５４】
次に、図５のフローチャートを参照しながら音声変調方式の判定処理について説明する。ＡＤＣ５２あるいはＡＤＣ５２をスルーして得られるデジタル音声信号が音声変調方式判定部１００に入力されると、音声変調方式判定部１００はステップＳ１において、モノラル信号が入力された場合、図６に示すように［０，０］を判定結果として出力する（Ｓ１）。同様に、ステレオ信号の場合は［１，０］を、５．１チャンネルの場合は［１，１］を、音声なしの場合は［０，０］の出力データを、判定結果としてそれぞれ出力する。
【００５５】
ＤＶＤ規格での音声信号は、音声圧縮符号のビットストリームとなっている。音声データにはサンプリング周波数、量子化ビット数、チャンネル数がある。チャンネル数としては、５．１チャンネルであり、フロント３チャンネルとリア２チャンネルの計５チャンネルおよび．１チャンネル分のＬＦＥ（Ｌｏｗ  Ｆｒｅｑｕｅｎｃｙ  Ｅｆｆｅｃｔｓ）からなっている。
【００５６】
ステップＳ１で入力された音声変調方式がモノラルで、前回の方式がステレオであった場合は［１］のフラグが出力され、逆に前回の方式と同じであった場合は［０］のフラグが出力される（Ｓ２）。
【００５７】
ステップＳ２において、前回と同じ音声変調方式の場合は、フラグ［０］をデータプロセッサ３６に出力し、チャプタの作成は行わず（Ｓ３）、レジスタ１０１に前回と同じ方式のデータを記憶する（Ｓ４）。
【００５８】
前回と同じ方式と異なる音声変調方式と判別された場合は、フラグ［１］をデータプロセッサ３６に出力し、チャプタの境界の作成を行い（Ｓ５）、レジスタ１０１に新たな方式のデータを上書きする（Ｓ４）。
【００５９】
このようにして、入力される音声信号の変調方式を判定し、前回の音声変調方式と異なる場合に、録画が再開されたとの録画情報の切れ目をチャプタの境界としてチャプタの管理情報に登録可能となる。この境界をチャプタの自動付与することにより、編集上の操作性の向上も図ることが可能となる。
【００６０】
【発明の効果】
以上説明したように、この発明の自動チャプタ作成機能付き記録再生装置によれば、音声信号の変調方式の違いを判定し、判定結果に基づいてチャプタの境界を自動的に付与することで、編集上の操作性の向上を図ることができる。
【図面の簡単な説明】
【図１】この発明の一実施の形態について説明するためのシステム構成図。
【図２】同実施の形態におけるビデオマネージャーＶＭＧの階層構造を説明するための説明図。
【図３】同実施の形態におけるプログラムチェーン情報テーブルＰＧＩＴの詳細を説明するための説明図。
【図４】同実施の形態におけるムービーＡＶファイル情報テーブルＭ＿ＡＶＦＩＴの階層構造を説明するための説明図。
【図５】この発明の主要部の処理動作について説明するためのフローチャート。
【図６】この発明の図５の説明のために用いる説明図。
【符号の説明】
１００１…光ディスク
２００１…ハードディスク装置
３０…マイクロコンピュータブロック
３５…ディスクドライブ
３６…データプロセッサ
３７…一時記憶部
３８…ＳＴＣ
４２…Ａ／Ｖ入力部
４４…ＴＶチューナ
４７…キー入力部
４８…表示部
５０…エンコーダ部
５２…ＡＤＣ
５３…Ｖ，Ａ，ＳＰエンコーダ群
５６…フォーマッタ
５７…バッファメモリ
６０…デコーダ部
６２…分離部
６３…メモリ
６４…Ｖ，Ａ，ＳＰデコーダ群
６６…ビデオプロセッサ
７１…ビデオミクサー
７２…フレームメモリ
７３…Ｉ／Ｆ
７４…ＤＡＣ
７５…Ｉ／Ｆ
７６…セレクタ
７７…ＤＡＣ
８０…リモートコントローラ
１００…音声変調方式判定部
【図１】
2004236077.tif 000003
【図２】
2004236077.tif 000004
【図３】
2004236077.tif 000005
【図４】
2004236077.tif 000006
【図５】
2004236077.tif 000007
【図６】
2004236077.tif 000008